(57)【要約】【課題】装着部を保持すると共に、容易に着脱することが可能な電子機器を提供すること。【解決手段】電子回路を収容し、所定方向に振動するボイスコイルモーターを有する振動部が設けられた本体部と、振動部を介して本体部に接続され、振動部の振動によって本体部に対して相対的に振動する可動部と、本体部及び可動部の少なくとも一部を含む所定部分に対して着脱可能に設けられ、ボイスコイルモーターの磁力によって所定部分に保持されるように形成された装着部とを備える。【選択図】図１
2013187563.tif 000002
【特許請求の範囲】
【請求項１】
電子回路を収容し、所定方向に振動するボイスコイルモーターを有する振動部が設けられた本体部と、
前記振動部を介して前記本体部に接続され、前記振動部の振動によって前記本体部に対して相対的に振動する可動部と、
前記本体部及び前記可動部の少なくとも一部を含む所定部分に対して着脱可能に設けられ、前記ボイスコイルモーターの磁力によって前記所定部分に保持されるように形成された装着部と
を備える電子機器。
【請求項２】
前記装着部は、前記ボイスコイルモーターの磁気の漏洩を防ぐ磁気シールドを兼ねている
請求項１に記載の電子機器。
【請求項３】
前記装着部は、前記所定部分のうち前記ボイスコイルモーターに対応する領域を覆うように形成されている
請求項１又は請求項２に記載の電子機器。
【請求項４】
前記装着部は、磁性体を用いて形成されたカバー部を有する
請求項１から請求項３のうちいずれか一項に記載の電子機器。
【請求項５】
前記装着部は、前記本体部及び前記可動部のうち少なくとも一方について設けられた外部機器を含む
請求項１から請求項４のうちいずれか一項に記載の電子機器。
【請求項６】
前記装着部は、前記本体部及び前記可動部のうち少なくとも一部との間で係合する係合部を有する
請求項１から請求項５のうちいずれか一項に記載の電子機器。
【請求項７】
前記装着部は、前記本体部及び前記可動部のうち少なくとも一部に接着される接着部を有する
請求項１から請求項６のうちいずれか一項に記載の電子機器。
【発明の詳細な説明】
【技術分野】
【０００１】
本発明は、電子機器に関する。
【背景技術】
【０００２】
携帯電話や携帯情報端末などの電子機器として、例えば特許文献１が知られている。特許文献１に示すような電子機器においては、ユーザに振動を検知させる構成が用いられる場合がある。このような振動を発生させる振動発生装置として、例えば振動モーターが知られている。振動モーターとしては、例えばボイスコイルモーターなどの磁気モーターを用いた構成が知られている。一方、小型の電子機器は、例えば充電器や操作機器など、外部機器を取り付けることで、使用態様の幅が広がることになる。
【先行技術文献】
【特許文献】
【０００３】
【特許文献１】特開２０１０−８６０８９号公報
【発明の概要】
【発明が解決しようとする課題】
【０００４】
このような構成において、電子機器に外部機器を取り付ける場合、外れないように保持すると共に、容易に着脱できる構成が求められている。
【０００５】
以上のような事情に鑑み、本発明は、装着部を保持すると共に、容易に着脱することが可能な電子機器を提供することを目的とする。
【課題を解決するための手段】
【０００６】
本発明の第一の態様に従えば、電子回路を収容し、所定方向に振動するボイスコイルモーターを有する振動部が設けられた本体部と、振動部を介して本体部に接続され、振動部の振動によって本体部に対して相対的に振動する可動部と、本体部及び可動部の少なくとも一部を含む所定部分に対して着脱可能に設けられ、ボイスコイルモーターの磁力によって所定部分に保持されるように形成された装着部とを備える電子機器が提供される。
【発明の効果】
【０００７】
本発明の態様によれば、装着部を保持すると共に、容易に着脱することが可能な電子機器を提供することができる。
【図面の簡単な説明】
【０００８】
【図１】本発明の第一実施形態に係る電子機器の構成を示す斜視図。
【図２】図１におけるＡ−Ａ断面に沿った構成を示す図。
【図３】本実施形態に係る電子機器の動作の様子を示す図。
【図４】本発明の第二実施形態に係る電子機器の構成を示す斜視図。
【図５】本発明に係る電子機器の他の構成を示す断面図。
【発明を実施するための形態】
【０００９】
以下、図面を参照して、本発明の実施の形態を説明する。  
［第一実施形態］  
図１は、本発明の第一実施形態に係る電子機器１００の構成を示す斜視図である。  
図１に示すように、電子機器１００は、矩形の板状に形成された本体部１０１と、当該本体部１０１に対して振動する可動部１０２と、本体部１０１及び可動部１０２の少なくとも一部に着脱可能な装着部１０３とを有する。図１では、装着部１０３が分離された状態が示されている。
【００１０】
図２は、図１におけるＡ−Ａ断面に沿った構成を示す図である。図２は、装着部１０３が装着された状態が示されている。  
図２に示すように、本体部１０１は、表示パネル１０、第一ベース部１１、第二ベース部１２、バッテリー１３、第一基板１４、ボトムカバー１５及び振動部１６を有している。本体部１０１は、これらの各構成要素が積層された状態で組み立てられている。
【００１１】
以下、本実施形態において、電子機器１００の構成を説明するに当たり、ＸＹＺ直交座標系を用いる。当該ＸＹＺ直交座標系において、本体部１０１の各構成要素の積層方向をＺ方向とする。また、Ｚ方向に直交する平面をＸＹ平面とし、ＸＹ平面において直交する方向をそれぞれＸ方向及びＹ方向とする。
【００１２】
表示パネル１０は、Ｚ方向視で矩形に形成されている。表示パネル１０は、−Ｚ側の面が表示面１０ａとなっている。表示面１０ａには、静止画や動画などの画像が表示される。表示パネル１０としては、例えば液晶表示パネルや、有機ＥＬパネルなどが用いられる。表示パネル１０の表示面１０ａ上に、不図示のタッチパネル機構を設ける構成としても構わない。
【００１３】
第一ベース部１１は、表示パネル１０を保持する。第一ベース部１１は、Ｚ方向視で矩形の枠状に形成されている。第一ベース部１１は、表示パネル１０の側部及び表示面１０ａの周縁部を囲うように形成されている。第二ベース部１２は、第一ベース部１１の＋Ｚ側に配置されている。第二ベース部１２の一部は、第一ベース部１１に支持されている。
【００１４】
バッテリー１３は、外形が矩形の板状に形成されている。バッテリー１３は、電子機器１００の各部に電力を供給する。バッテリー１３は、不図示の配線を介して当該電子機器１００の各部に接続されている。バッテリー１３の＋Ｚ側の面１３ａは、平坦に形成されている。
【００１５】
第一基板１４は、バッテリー１３が配置されるスペースを空けるように配置されている。第一基板１４は、第二ベース部１２に支持されている。第一基板１４には、制御回路１４ａが形成されている。電子機器１００は、当該制御回路１４ａによって各部が電気的に制御される構成となっている。
【００１６】
ボトムカバー１５は、矩形板状に形成されている。ボトムカバー１５は、バッテリー１３及び第一基板１４の＋Ｚ側に配置され、当該バッテリー１３及び第一基板１４を被うように配置されている。ボトムカバー１５の中央部には、円形の開口部１５ａが形成されている。当該開口部１５ａには、バッテリー１３の＋Ｚ側の面１３ａが一部露出している。
【００１７】
振動部１６は、ヨーク１６ａ、コイル１６ｂ及びセンターヨーク１６ｃを有する。ヨーク１６ａは、円筒状に形成されており、コイル１６ｂ及びセンターヨーク１６ｃを収容する。ヨーク１６ａは、ボトムカバー１５の開口部１５ａ内に配置されている。
【００１８】
コイル１６ｂは、Ｚ方向に移動可能に設けられている。センターヨーク１６ｃは、コイル１６ｂに接続されており、当該コイル１６ｂをＺ方向に移動させる。センターヨーク１６ｃとしては、ボイスコイルモーターが用いられている。センターヨーク１６ｃの動作は、上記の第一基板１４に設けられた制御回路１４ａによって行われる。振動部１６は、センターヨーク１６ｃがコイル１６ｂをＺ方向に往復移動させることにより、コイル１６ｂがＺ方向に振動する構成である。
【００１９】
可動部１０２は、筐体２６を有している。筐体２６は、本体部１０１の＋Ｚ側の面の一部を覆うように形成されている。筐体２６は、振動部１６のコイル１６ｂに接続されている。したがって、筐体２６は、コイル１６ｂと一体的にＺ方向に移動可能に設けられている。コイル１６ｂがＺ方向に振動することにより、当該コイル１６ｂの振動が筐体２６に伝達され、筐体２６がＺ方向に振動するようになっている。
【００２０】
装着部１０３は、カバー部材２０を有している。カバー部材２０は、筐体２６に対して着脱可能に設けられている。カバー部材２０は、筐体２６の外形に対応する形状に形成されている。カバー部材２０は、筐体２６の外面２６ａの略全面を覆うように形成されている。
【００２１】
カバー部材２０は、例えば鉄などの磁性体を用いて形成されたシールド部２０ｓと、当該シールド部２０ｓを覆うフレーム部２０ｆとを有している。カバー部材２０のうちシールド部２０ｓは、振動部１６のセンターヨーク１６ｃとして設けられているボイスコイルモーターの磁力によって筐体２６側に引っ張られている。この磁力により、カバー部材２０は筐体２６に保持されている。
【００２２】
カバー部材２０のうち筐体２６に対向する面（内面）２０ｂは、筐体２６の外面２６ａにほぼ一致する形状に形成されている。このため、カバー部材２０が筐体２６に装着された状態において、カバー部材２０と筐体２６との間に隙間が形成されにくい構成となる。これにより、カバー部材２０が筐体２６に対してずれにくくなる。
【００２３】
また、磁性体を用いて形成されたシールド部２０ｓが、筐体２６のうちボイスコイルモーターに対応する位置を覆うように設けられているため、ボイスコイルモーターからの磁気は、シールド部２０ｓに沿った方向に形成されることになる。このため、シールド部２０ｓは、ボイスコイルモーターの磁気が可動部１０２側から外部に漏洩するのを防ぐ磁気シールドとしても機能している。
【００２４】
この構成において、例えばコイル１６ｂが図２に示す状態から＋Ｚ方向に移動する場合には、図３に示すように、筐体２６はコイル１６ｂの移動に伴って＋Ｚ方向へ移動する。したがって、本体部１０１と可動部１０２との間が広がることになり、本体部１０１と可動部１０２との間で相対的な移動が行われたことになる。
【００２５】
このとき、カバー部材２０は、可動部１０２と一体的に＋Ｚ側へ移動する。カバー部材２０は、ボイスコイルモーターの磁力によって可動部１０２に保持されており、可動部１０２が＋Ｚ側に移動する場合であっても、カバー部材２０が可動部１０２から外れることは無い。
【００２６】
また、図３に示す状態からコイル１６ｂが−Ｚ方向に移動し、図２に示す状態に戻ると、筐体２６はコイル１６ｂの移動に伴って−Ｚ方向へ移動する。この場合にも、本体部１０１と可動部１０２との間で相対的な移動が行われたことになる。このとき、カバー部材２０は、可動部１０２と一体的に−Ｚ側へ移動する。上記同様、カバー部材２０は、ボイスコイルモーターの磁力によって可動部１０２に保持されており、可動部１０２が−Ｚ側に移動する場合であっても、カバー部材２０が可動部１０２から外れることは無い。
【００２７】
以上のように、本実施形態によれば、制御回路１４ａを収容し、所定方向に振動するボイスコイルモーターを有する振動部１６が設けられた本体部１０１と、振動部１６を介して本体部１０１に接続され、振動部１６の振動によって本体部１０１に対して相対的に振動する可動部１０２と、本体部１０１及び可動部１０２の少なくとも一部を含む所定部分に対して着脱可能に設けられ、ボイスコイルモーターの磁力によって所定部分に保持されるように形成された装着部１０３とを備えるので、当該ボイスコイルモーターの磁力によって装着部１０３を保持することができる。これにより、装着部１０３を容易に保持することができると共に、装着部１０３を可動部１０２に対して容易に着脱することが可能となる。
【００２８】
［第二実施形態］  
次に、本発明の第二実施形態を説明する。  
図４は、本発明の第二実施形態に係る電子機器２００の構成を示す断面図である。図４に示すように、電子機器２００は、矩形の板状に形成された本体部２０１と、当該本体部２０１に対して振動する可動部２０２と、本体部２０１及び可動部２０２のうち少なくとも一部に装着される装着部２０３とを有する。
【００２９】
本実施形態においては、装着部２０３として、本体部２０１に接続させる外部機器が用いられている点で、上記第一実施形態とは異なっている。このような外部機器として、例えば電子機器２００を充電する充電器や、本体部２０１を外部から操作するための操作機器などが挙げられる。
【００３０】
装着部２０３には、鉄などの磁性体を用いて形成された磁性体層２２０が形成されている。磁性体層２２０は、振動部２１６のセンターヨーク２１６ｃとしても用いられるボイスコイルモーターの磁気によって、装着部２０３を可動部２０２側へ保持させる。なお、当該磁性体層２２０を用いて本体部２０１との間に電気的接続を取る構成であっても構わない。
【００３１】
以上のように、本実施形態によれば、装着部２０３として本体部２０１に接続させる外部機器が用いられる場合であっても、本体部２０１の振動部２１６として用いられるボイスコイルモーターの磁力によって可動部２０２に保持されるように形成されているので、当該ボイスコイルモーターの磁力によって装着部２０３を保持することができる。これにより、装着部２０３を容易に保持することができると共に、装着部２０３を可動部２０２に対して容易に着脱することが可能となる。
【００３２】
本発明の技術範囲は上記実施形態に限定されるものではなく、本発明の趣旨を逸脱しない範囲で適宜変更を加えることができる。  
例えば、上記実施形態においては、ボイスコイルモーターの磁力のみによって装着部が可動部に保持される構成としたが、これに限られることは無い。
【００３３】
例えば図５に示すように、装着部１０３の一部に係合部１０３ａを設けて、当該係合部１０３ａを筐体２６に係合させる構成としても構わない。これにより、ボイスコイルモーターの磁力と共に装着部１０３を筐体２６に保持することができるので、より確実に装着部１０３を筐体２６に保持させることができる。
【００３４】
また、図５に示すように、装着部１０３に接着部１０３ｂを設けて、当該接着部１０３ｂを介して装着部１０３を筐体２６に接着させる構成としても構わない。これにより、ボイスコイルモーターの磁力と共に装着部１０３を筐体２６に保持することができるので、より確実に装着部１０３を筐体２６に保持させることができる。
【００３５】
なお、図５においては、係合部１０３ａ及び接着部１０３ｂの両方が設けられた構成を示しているが、これに限られることは無く、係合部１０３ａ及び接着部１０３ｂいずれか一方のみが設けられた構成であっても構わない。
【００３６】
また、上記各実施形態においては、装着部１０３、２０３が可動部１０２、２０２に保持される構成を例に挙げて説明したが、これに限られることは無い。例えば、装着部１０３、２０３が本体部１０１、２０１に保持される構成であっても構わない。また、装着部１０３、２０３が、本体部１０１、２０１及び可動部１０２、２０２の両方に保持される構成であっても構わない。
【００３７】
また、上記実施形態において、装着部１０３、２０３の厚さ等の寸法や、重量、保持部分の構成などを調整することにより、装着部１０３、２０３が装着された状態で筐体２６が振動する構成としても構わない。
【符号の説明】
【００３８】
１６、２１６…振動部  １６ｃ、２１６ｃ…駆動源  ２０…カバー部材  ２６…筐体  １００、２００…電子機器  １０１、２０１…本体部  １０２、２０２…可動部  １０３、２０３…装着部  １０３ａ…係合部  １０３ｂ…接着部  ２１６…振動部  ２１６ｃ…駆動源  ２２０…磁性体層
【図１】
2013187563.tif 000003
【図２】
2013187563.tif 000004
【図３】
2013187563.tif 000005
【図４】
2013187563.tif 000006
【図５】
2013187563.tif 000007